(57)【要約】【課題】画像形成装置に印刷ジョブを命令する予定のクライアント装置の数を把握できる情報を示す。【解決手段】画像形成装置１は、複数のクライアント装置１０のうち、印刷ジョブを設定するための印刷画面を表示しており、かつ、印刷ジョブを命令する前のクライアント装置である特定クライアント装置と、ネットワーク５を利用して通信をして、特定クライアント装置の数の情報を含む印刷予定情報を生成する。画像形成装置１は、ネットワーク５を利用して、印刷予定情報を特定クライアント装置に通知することができる。特定クライアント装置は、印刷予定情報が通知されてきた場合、印刷予定情報を表示部１３に表示させる。【選択図】図５
2015194841.tif 000002
【特許請求の範囲】
【請求項１】
印刷ジョブを実行できる画像形成装置と、前記画像形成装置とネットワークによって接続されており、前記画像形成装置に前記印刷ジョブを命令することができる複数のクライアント装置と、を備える画像形成システムであって、
前記画像形成装置は、
前記複数のクライアント装置のうち、前記印刷ジョブを設定するための印刷画面を表示しており、かつ、前記印刷ジョブを命令する前のクライアント装置である特定クライアント装置と、前記ネットワークを利用して通信をして、前記特定クライアント装置の数の情報を含む印刷予定情報を生成する印刷予定情報生成部と、
前記印刷予定情報生成部によって生成された前記印刷予定情報を、前記ネットワークを利用して、前記特定クライアント装置に通知することができる印刷予定情報通知部と、を備えており、
前記複数のクライアント装置は、
前記ネットワークを利用して前記印刷予定情報通知部から前記印刷予定情報が通知されてきた場合、前記印刷予定情報を受け付ける印刷予定情報受付部と、
表示部と、
前記印刷予定情報受付部によって受け付けられた前記印刷予定情報を前記表示部に表示させる表示制御部と、を備える画像形成システム。
【請求項２】
前記印刷予定情報生成部は、前記複数のクライアント装置のうち、前記印刷予定情報をリクエストした前記特定クライアント装置以外の他の特定クライアント装置において、前記印刷画面でカラー印刷が設定されているか否かの情報、前記印刷画面で設定されている印刷部数の情報、前記印刷画面で設定されている印刷部数×印刷範囲となるページ数の値である印刷枚数の情報、前記印刷画面で設定されている用紙サイズの情報、及び、前記印刷ジョブの対象となるデータを生成したアプリケーションソフトの名称の情報の少なくとも１つを含む前記印刷予定情報を生成し、
前記印刷予定情報通知部は、前記画像形成装置に前記印刷予定情報をリクエストした前記特定クライアント装置に対して、前記印刷予定情報を通知する請求項１に記載の画像形成システム。
【請求項３】
前記印刷予定情報生成部は、前記複数のクライアント装置のうち、前記印刷予定情報をリクエストした前記特定クライアント装置以外の他の特定クライアント装置において、前記印刷画面の表示を開始してから経過した時間の情報を含む前記印刷予定情報を生成し、
前記印刷予定情報通知部は、前記画像形成装置に前記印刷予定情報をリクエストした前記特定クライアント装置に対して、前記印刷予定情報を通知する請求項１又は２に記載の画像形成システム。
【請求項４】
複数の前記画像形成装置が、前記ネットワークに接続されており、
前記複数のクライアント装置は、
前記複数の画像形成装置から前記印刷予定情報が通知されてきた場合、前記印刷予定情報を結合する印刷予定情報結合部を備え、
前記表示制御部は、結合された前記印刷予定情報を含む画面を前記表示部に表示させる請求項１〜３のいずれか一項に記載の画像形成システム。
【請求項５】
前記表示制御部は、結合された前記印刷予定情報、及び、前記複数の画像形成装置のいずれかを選択できるボタンを含む画面を、前記表示部に表示させ、
前記複数のクライアント装置は、前記ボタンが操作されることにより、前記複数の画像形成装置のうち、前記印刷ジョブを命令する画像形成装置を選択する入力を受け付ける入力受付部を備える請求項４に記載の画像形成システム。
【請求項６】
複数のクライアント装置とネットワークによって接続可能であり、前記複数のクライアント装置のそれぞれから印刷ジョブが命令された場合、前記印刷ジョブを実行する画像形成装置であって、
前記複数のクライアント装置のうち、前記印刷ジョブを設定するための印刷画面を表示しており、かつ、前記印刷ジョブを命令する前のクライアント装置である特定クライアント装置と、前記ネットワークを利用して通信をして、前記特定クライアント装置の数の情報を含む印刷予定情報を生成する印刷予定情報生成部と、
前記印刷予定情報生成部によって生成された前記印刷予定情報を、前記ネットワークを利用して、前記特定クライアント装置に通知することができる印刷予定情報通知部と、を備える画像形成装置。
【請求項７】
印刷ジョブを実行できる画像形成装置とネットワークによって接続可能な複数のクライアント装置の１つのクライアント装置であって、
前記複数のクライアント装置のうち、前記印刷ジョブを設定するための印刷画面を表示しており、かつ、前記印刷ジョブを命令する前のクライアント装置である特定クライアント装置の数の情報を含む印刷予定情報について、ネットワークを利用して前記画像形成装置から通知されてきた場合、前記印刷予定情報を受け付ける印刷予定情報受付部と、
表示部と、
前記印刷予定情報受付部によって受け付けられた前記印刷予定情報を前記表示部に表示させる表示制御部と、を備えるクライアント装置。
【発明の詳細な説明】
【技術分野】
【０００１】
本発明は、画像形成装置と複数のクライアント装置とがネットワークで接続されている画像形成システム、並びに、このシステムに適用される画像形成装置、及び、クライアント装置に関する。
【背景技術】
【０００２】
画像形成装置（例えば、複合機）と、複数のクライアント装置（例えば、パソコン）と、をネットワークで接続することにより、複数のクライアント装置のユーザーは、画像形成装置を共有することができる。
【０００３】
画像形成装置が共有されていれば、複数の印刷ジョブの命令が相次いで発生することがある。各印刷ジョブの状況を把握できるようにするために、各印刷ジョブの開始予測時間、及び、終了予測時間等を表示する技術が提案されている（例えば、特許文献１参照）。
【先行技術文献】
【特許文献】
【０００４】
【特許文献１】特開平１１−１５７１７４号公報（段落００７８〜００８１、図９）
【発明の概要】
【発明が解決しようとする課題】
【０００５】
上記先行技術によれば、画像形成装置に複数の印刷ジョブが命令された後の各印刷ジョブの状況について知ることができる。
【０００６】
これに対して、画像形成装置に印刷ジョブを命令する予定のクライアント装置の数を把握できれば便利である。例えば、印刷ジョブを命令する予定のクライアント装置の数が多ければ、画像形成装置がこれから実行する印刷ジョブの数が多いことが予測される。よって、印刷ジョブを命令する操作が遅ければ、印刷の待ち時間が長くなる可能性がある。そこで、ユーザーは、印刷ジョブを命令する予定のクライアント装置の数が多いことを把握できれば、その時点で印刷ジョブを命令する操作をせずに、その数が少ない時点で印刷ジョブを命令する操作を選択できる。これにより、印刷の待ち時間をなくす又は少なくすることができる。
【０００７】
本発明は、画像形成装置に印刷ジョブを命令する予定のクライアント装置の数を把握できる情報を示すことができる画像形成システム、並びに、このシステムに適用される画像形成装置、及び、クライアント装置を提供することを目的とする。
【課題を解決するための手段】
【０００８】
上記目的を達成する本発明の第１の局面に係る画像形成システムは、印刷ジョブを実行できる画像形成装置と、前記画像形成装置とネットワークによって接続されており、前記画像形成装置に前記印刷ジョブを命令することができる複数のクライアント装置と、を備える画像形成システムであって、前記画像形成装置は、前記複数のクライアント装置のうち、前記印刷ジョブを設定するための印刷画面を表示しており、かつ、前記印刷ジョブを命令する前のクライアント装置である特定クライアント装置と、前記ネットワークを利用して通信をして、前記特定クライアント装置の数の情報を含む印刷予定情報を生成する印刷予定情報生成部と、前記印刷予定情報生成部によって生成された前記印刷予定情報を、前記ネットワークを利用して、前記特定クライアント装置に通知することができる印刷予定情報通知部と、を備えており、前記複数のクライアント装置は、前記ネットワークを利用して前記印刷予定情報通知部から前記印刷予定情報が通知されてきた場合、前記印刷予定情報を受け付ける印刷予定情報受付部と、表示部と、前記印刷予定情報受付部によって受け付けられた前記印刷予定情報を前記表示部に表示させる表示制御部と、を備える。
【０００９】
ネットワークに接続されている複数のクライアント装置のうち、印刷ジョブを設定するための印刷画面を表示しており、かつ、印刷ジョブを命令する前のクライアント装置を、特定クライアント装置とする。このような、特定クライアント装置は、画像形成装置に印刷ジョブを命令する予定のクライアント装置と見なすことができる。本発明の第１の局面に係る画像形成システムによれば、画像形成装置は、ネットワークを利用して特定クライアント装置と通信して、特定クライアント装置の数の情報を含む印刷予定情報を生成する。特定クライアント装置は、画像形成装置から印刷予定情報が送信されてきた場合、表示部に印刷予定情報を表示させる。従って、本発明の第１の局面に係る画像形成システムによれば、特定クライアント装置のユーザーに対して、画像形成装置に印刷ジョブを命令する予定のクライアント装置の数を把握できる情報を示すことができる。
【００１０】
特定クライアント装置の表示部に印刷予定情報を表示する態様として、例えば、印刷予定情報を印刷画面に自動的に含める態様や、特定クライアント装置のユーザーが、印刷予定情報を表示させる操作して、印刷予定情報を表示部に表示させる態様がある。
【００１１】
上記構成において、前記印刷予定情報生成部は、前記複数のクライアント装置のうち、前記印刷予定情報をリクエストした前記特定クライアント装置以外の他の特定クライアント装置において、前記印刷画面でカラー印刷が設定されているか否かの情報、前記印刷画面で設定されている印刷部数の情報、前記印刷画面で設定されている印刷部数×印刷範囲となるページ数の値である印刷枚数の情報、前記印刷画面で設定されている用紙サイズの情報、及び、前記印刷ジョブの対象となるデータを生成したアプリケーションソフトの名称の情報の少なくとも１つを含む前記印刷予定情報を生成し、前記印刷予定情報通知部は、前記画像形成装置に前記印刷予定情報をリクエストした前記特定クライアント装置に対して、前記印刷予定情報を通知する。
【００１２】
この構成では、印刷予定情報に、特定クライアント装置の数に加えて、他の特定クライアント装置の印刷画面に含まれる項目の設定内容(例えば、カラー印刷が設定されているか否かの情報)を含めている。従って、印刷予定情報をリクエストした特定クライアント装置のユーザーは、他の特定クライアント装置の印刷画面において、どのような印刷設定がされているかを知ることができるので、これを参考にして印刷ジョブを命令する操作をするか否かを判断することができる。
【００１３】
印刷画面でカラー印刷が設定されていれば、印刷ジョブが終了するまでの時間が長いと予測できる。
【００１４】
印刷画面で設定されている印刷部数が多ければ、印刷ジョブが終了するまでの時間が長いと予測できる。
【００１５】
印刷画面で設定されている印刷枚数が多ければ、印刷ジョブが終了するまでの時間が長いと予測できる。印刷部数×印刷範囲となるページ数が、印刷枚数となる。
【００１６】
印刷画面で設定されている用紙サイズが大きければ、印刷ジョブが終了するまでの時間が長いと予測できる。
【００１７】
印刷ジョブの対象となるデータを生成したアプリケーションソフトが、例えば、画像のアプリケーションソフトであれば、文書のアプリケーションソフトよりも、印刷ジョブが終了するまでの時間が長いと予測できる。アプリケーションソフトの名称を示すことにより、画像のアプリケーションソフトか否かを判断することができる。
【００１８】
上記構成において、前記印刷予定情報生成部は、前記複数のクライアント装置のうち、前記印刷予定情報をリクエストした前記特定クライアント装置以外の他の特定クライアント装置において、前記印刷画面の表示を開始してから経過した時間の情報を含む前記印刷予定情報を生成し、前記印刷予定情報通知部は、前記画像形成装置に前記印刷予定情報をリクエストした前記特定クライアント装置に対して、前記印刷予定情報を通知する。
【００１９】
この構成では、印刷予定情報に、特定クライアント装置の数に加えて、他の特定クライアント装置において、印刷画面の表示を開始してから経過した時間の情報を含めている。印刷画面の表示を開始してから経過した時間が長ければ、複雑な印刷設定がされている可能性がある。複雑な印刷設定の場合、印刷ジョブが終了するまでの時間が長いと予測できる。従って、印刷予定情報をリクエストした特定クライアント装置のユーザーは、それを参考にして、印刷ジョブを命令する操作をするか否かを判断することができる。
【００２０】
上記構成において、複数の前記画像形成装置が、前記ネットワークに接続されており、前記複数のクライアント装置は、前記複数の画像形成装置から前記印刷予定情報が通知されてきた場合、前記印刷予定情報を結合する印刷予定情報結合部を備え、前記表示制御部は、結合された前記印刷予定情報を含む画面を前記表示部に表示させる。
【００２１】
この構成によれば、特定クライアント装置のユーザーは、複数の画像形成装置のそれぞれの印刷予定情報を参考にして、印刷ジョブを命令する画像形成装置を選択することができる。
【００２２】
上記構成において、前記表示制御部は、結合された前記印刷予定情報、及び、前記複数の画像形成装置のいずれかを選択できるボタンを含む画面を、前記表示部に表示させ、前記複数のクライアント装置は、前記ボタンが操作されることにより、前記複数の画像形成装置のうち、前記印刷ジョブを命令する画像形成装置を選択する入力を受け付ける入力受付部を備える。
【００２３】
この構成によれば、結合された印刷予定情報を含む画面において、印刷ジョブを命令する画像形成装置を選択することができる。
【００２４】
本発明の第２の局面に係る画像形成装置は、複数のクライアント装置とネットワークによって接続可能であり、前記複数のクライアント装置のそれぞれから印刷ジョブが命令された場合、前記印刷ジョブを実行する画像形成装置であって、前記複数のクライアント装置のうち、前記印刷ジョブを設定するための印刷画面を表示しており、かつ、前記印刷ジョブを命令する前のクライアント装置である特定クライアント装置と、前記ネットワークを利用して通信をして、前記特定クライアント装置の数の情報を含む印刷予定情報を生成する印刷予定情報生成部と、前記印刷予定情報生成部によって生成された前記印刷予定情報を、前記ネットワークを利用して、前記特定クライアント装置に通知することができる印刷予定情報通知部と、を備える。
【００２５】
本発明の第２の局面に係る画像形成装置は、本発明の第１の局面に係る画像形成システムに適用される画像形成装置である。
【００２６】
本発明の第３の局面に係るクライアント装置は、印刷ジョブを実行できる画像形成装置とネットワークによって接続可能な複数のクライアント装置の１つのクライアント装置であって、前記複数のクライアント装置のうち、前記印刷ジョブを設定するための印刷画面を表示しており、かつ、前記印刷ジョブを命令する前のクライアント装置である特定クライアント装置の数の情報を含む印刷予定情報について、ネットワークを利用して前記画像形成装置から通知されてきた場合、前記印刷予定情報を受け付ける印刷予定情報受付部と、表示部と、前記印刷予定情報受付部によって受け付けられた前記印刷予定情報を前記表示部に表示させる表示制御部と、を備える。
【００２７】
本発明の第３の局面に係るクライアント装置は、本発明の第１の局面に係る画像形成システムに適用されるクライアント装置である。
【発明の効果】
【００２８】
本発明によれば、画像形成装置に印刷ジョブを命令する予定のクライアント装置の数を把握できる情報を示すことができる。
【図面の簡単な説明】
【００２９】
【図１】第１実施形態及び第２実施形態に適用される画像形成装置の内部構造の概略を示す模式図である。
【図２】図１に示す画像形成装置の構成を示すブロック図である。
【図３】第１実施形態に係る画像形成システムを示す模式図である。
【図４】印刷画面の一例を示す模式図である。
【図５】画像形成システムにおいて、複数のクライアント装置のうち、特定クライアント装置となっているクライアント装置を示す模式図である。
【図６】印刷予定情報を含む画面の一例を示す模式図である。
【図７】特定クライアント装置の印刷予定情報の詳細情報を含む画面の一例を示す模式図である。
【図８】第１実施形態に係る画像形成システムの動作の一例を示すフローチャートである（その１）。
【図９】第１実施形態に係る画像形成システムの動作の一例を示すフローチャートである（その２）。
【図１０】第１実施形態に係る画像形成システムの動作の一例を示すフローチャートである（その３）。
【図１１】第２実施形態に係る画像形成システムを示す模式図である。
【図１２】第２実施形態において、結合された印刷予定情報を含む画面の一例を示す模式図である。
【発明を実施するための形態】
【００３０】
以下、図面に基づいて本発明の実施形態を詳細に説明する。本発明の実施形態は、第１実施形態及び第２実施形態がある。図１は、第１実施形態及び第２実施形態に適用される画像形成装置１の内部構造の概略を示す模式図である。画像形成装置１は、例えば、コピー、プリンター、スキャナー及びファクシミリの機能を有するデジタル複合機に適用することができる。画像形成装置１は、装置本体１００、装置本体１００の上に配置された原稿読取部２００、原稿読取部２００の上に配置された原稿給送部３００及び装置本体１００の上部前面に配置された操作部４００を備える。
【００３１】
原稿給送部３００は、自動原稿送り装置として機能し、原稿載置部３０１に置かれた複数枚の原稿を連続的に原稿読取部２００で読み取ることができるように送ることができる。
【００３２】
原稿読取部２００は、露光ランプ等を搭載したキャリッジ２０１、ガラス等の透明部材により構成された原稿台２０３、不図示のＣＣＤ（Charge Coupled Device）センサー及び原稿読取スリット２０５を備える。原稿台２０３に載置された原稿を読み取る場合、キャリッジ２０１を原稿台２０３の長手方向に移動させながらＣＣＤセンサーにより原稿を読み取る。これに対して、原稿給送部３００から給送された原稿を読み取る場合、キャリッジ２０１を原稿読取スリット２０５と対向する位置に移動させて、原稿給送部３００から送られてきた原稿を、原稿読取スリット２０５を通してＣＣＤセンサーにより読み取る。ＣＣＤセンサーは読み取った原稿を画像データとして出力する。
【００３３】
装置本体１００は、用紙貯留部１０１、画像形成部１０３及び定着部１０５を備える。用紙貯留部１０１は、装置本体１００の最下部に配置されており、用紙の束を貯留することができる用紙トレイ１０７を備える。用紙トレイ１０７に貯留された用紙の束において、最上位の用紙がピックアップローラー１０９の駆動により、用紙搬送路１１１へ向けて送出される。用紙は、用紙搬送路１１１を通って、画像形成部１０３へ搬送される。
【００３４】
画像形成部１０３は、搬送されてきた用紙にトナー像を形成する。画像形成部１０３は、感光体ドラム１１３、露光部１１５、現像部１１７及び転写部１１９を備える。露光部１１５は、画像データ（原稿読取部２００から出力された画像データ、パソコンから送信された画像データ、ファクシミリ受信の画像データ等）に対応して変調された光を生成し、一様に帯電された感光体ドラム１１３の周面に照射する。これにより、感光体ドラム１１３の周面には、画像データに対応する静電潜像が形成される。この状態で感光体ドラム１１３の周面に現像部１１７からトナーを供給することにより、周面には画像データに対応するトナー像が形成される。このトナー像は、転写部１１９によって先ほど説明した用紙貯留部１０１から搬送されてきた用紙に転写される。
【００３５】
トナー像が転写された用紙は、定着部１０５に送られる。定着部１０５において、トナー像と用紙に熱と圧力が加えられて、トナー像は用紙に定着される。用紙はスタックトレイ１２１又は排紙トレイ１２３に排紙される。
【００３６】
操作部４００は、操作キー部４０１と表示部４０３を備える。表示部４０３は、タッチパネル機能を有しており、ソフトキーを含む画面が表示される。ユーザーは、画面を見ながらソフトキーを操作することによって、コピー等の機能の実行に必要な設定等をする。
【００３７】
操作キー部４０１には、ハードキーからなる操作キーが設けられている。具体的には、スタートキー４０５、テンキー４０７、ストップキー４０９、リセットキー４１１、コピー、プリンター、スキャナー及びファクシミリを切り換えるための機能切換キー４１３等が設けられている。
【００３８】
スタートキー４０５は、コピー、ファクシミリ送信等の動作を開始させるキーである。テンキー４０７は、コピー部数、ファクシミリ番号等の数字を入力するキーである。ストップキー４０９は、コピー動作等を途中で中止させるキーである。リセットキー４１１は、設定された内容を初期設定状態に戻すキーである。
【００３９】
機能切換キー４１３は、コピーキー及び送信キー等を備えており、コピー機能、送信機能等を相互に切り替えるキーである。コピーキーを操作すれば、コピーの初期画面が表示部４０３に表示される。送信キーを操作すれば、ファクシミリ送信及びメール送信の初期画面が表示部４０３に表示される。
【００４０】
図２は、図１に示す画像形成装置１の構成を示すブロック図である。画像形成装置１は、装置本体１００、原稿読取部２００、原稿給送部３００、操作部４００、制御部５００及び通信部６００がバスによって相互に接続された構成を有する。装置本体１００、原稿読取部２００、原稿給送部３００及び操作部４００に関しては既に説明したので、説明を省略する。
【００４１】
制御部５００は、ＣＰＵ（Central Processing Unit）、ＲＯＭ（Read Only Memory）、ＲＡＭ（Random Access Memory）及び画像メモリー等を備える。ＣＰＵは、画像形成装置１を動作させるために必要な制御を、装置本体１００等の画像形成装置１の上記構成要素に対して実行する。ＲＯＭは、画像形成装置１の動作の制御に必要なソフトウェアを記憶している。ＲＡＭは、ソフトウェアの実行時に発生するデータの一時的な記憶及びアプリケーションソフトの記憶等に利用される。画像メモリーは、画像データ（原稿読取部２００から出力された画像データ、パソコンから送信された画像データ、ファクシミリ受信の画像データ等）を一時的に記憶する。
【００４２】
通信部６００は、ファクシミリ通信部６０１及びネットワークＩ／Ｆ部６０３を備える。ファクシミリ通信部６０１は、相手先ファクシミリとの電話回線の接続を制御するＮＣＵ（Network Control Unit）及びファクシミリ通信用の信号を変復調する変復調回路を備える。ファクシミリ通信部６０１は、電話回線６０５に接続される。
【００４３】
ネットワークＩ／Ｆ部６０３は、ＬＡＮ（Local Area Network）６０７に接続される。ネットワークＩ／Ｆ部６０３は、ＬＡＮ６０７に接続されたクライアント装置（パソコン等）との間で通信を実行するための通信インターフェイス回路である。
【００４４】
図３は、第１実施形態に係る画像形成システム３を示す模式図である。画像形成システム３は、印刷ジョブを実行できる画像形成装置１と、画像形成装置１とネットワーク５（例えば、図２に示すＬＡＮ６０７）によって接続されており、画像形成装置１に印刷ジョブを命令することができる複数のクライアント装置１０Ａ〜１０Ｆと、を備える。
【００４５】
図３において、ネットワーク５に接続された６台のクライアント装置１０Ａ，１０Ｂ，１０Ｃ，１０Ｄ，１０Ｅ，１０Ｆが示されている。これらのクライアント装置を区別する必要がない場合、クライアント装置１０と記載する。クライアント装置１０の数は、６台に限定されず、複数であればよい。クライアント装置１０とは、例えば、パソコンやタブレット端末等の端末装置である。
【００４６】
クライアント装置１０Ａにユーザー登録されているユーザー名を、ユーザーＡとする。同様に、クライアント装置１０Ｂ〜１０Ｆのそれぞれにユーザー登録されているユーザー名を、ユーザーＢ〜Ｆとする。
【００４７】
クライアント装置１０Ａ〜１０Ｆは、同じ構成を有しており、クライアント装置１０Ａを用いて、クライアント装置１０の構成を説明する。
【００４８】
クライアント装置１０は、入力装置１１、入力受付部１２、表示部１３、表示制御部１４、印刷予定情報受付部１５、ユーザー情報通知部１６、ユーザー情報登録部１７、機器情報受付部１８、印刷設定内容通知部１９、印刷設定部２０、印刷ジョブ命令通知部２１、及び、リクエスト通知部２２を備える。
【００４９】
入力装置１１は、ユーザーがクライアント装置１０を操作するための入力をする装置である。入力装置１１は、例えば、キーボード、マウスである。
【００５０】
入力受付部１２は、入力装置１１からの入力を受け付ける。
【００５１】
表示制御部１４は、表示部１３に画面を表示させる制御をする。例えば、クライアント装置１０において、文書作成のアプリケーションソフトが起動されている場合、表示制御部１４は、そのアプリケーションソフトの画面を表示部１３に表示させる。そして、そのアプリケーションソフトの画面が表示部１３に表示された状態で、ユーザーが入力装置１１を操作して、印刷を選択する入力が、入力受付部１２に受け付けられると、表示制御部１４は、印刷画面４０を表示部１３に表示させる。
【００５２】
図４は、印刷画面４０の一例を示す模式図である。印刷画面４０は、印刷ジョブを設定するための画面である。印刷画面４０は、設定項目として、プリンター選択項目４１、印刷範囲項目４２、印刷部数項目４３、用紙サイズ項目４４、カラー／モノクロ選択項目４５を含む。
【００５３】
プリンター選択項目４１は、ネットワーク５に複数の画像形成装置１が接続されている場合、印刷ジョブを実行させる画像形成装置１を設定する項目である。
【００５４】
印刷範囲項目４２は、印刷の範囲を設定する項目であり、全ページを印刷する設定や、印刷するページを指定する設定ができる。
【００５５】
印刷部数項目４３は、印刷する部数（例えば、２部）を設定する項目である。
【００５６】
用紙サイズ項目４４は、印刷する用紙のサイズ（例えば、Ａ３）を設定する項目である。
【００５７】
カラー／モノクロ選択項目４５は、画像形成装置１に実行させる印刷ジョブを、カラー印刷のジョブ又はモノクロ印刷のジョブを設定する項目である。
【００５８】
印刷画面４０は、ボタン４６，４７を含む。ボタン４６は、印刷ジョブを命令するボタンである。ボタン４６がクリックされると、図３の入力受付部１２は、印刷ジョブを命令する入力を受け付ける。クライアント装置１０は、ネットワーク５を利用して印刷ジョブの命令及び印刷ジョブの対象となるデータを画像形成装置１に送信する。
【００５９】
ボタン４７は、印刷予定情報の表示を命令するボタンである。ボタン４７がクリックされると、入力受付部１２は、印刷予定情報の表示を命令する入力を受け付ける。これにより、図３の表示制御部１４は、印刷予定情報を含む画面を表示部１３に表示させる。印刷予定情報については、後で説明する。
【００６０】
図３を参照して、印刷予定情報受付部１５、ユーザー情報通知部１６、ユーザー情報登録部１７、機器情報受付部１８、印刷設定内容通知部１９、印刷設定部２０、印刷ジョブ命令通知部２１、及び、リクエスト通知部２２は、後で説明する。
【００６１】
画像形成装置１は、印刷予定情報生成部３１、印刷予定情報通知部３２、ユーザー情報受付部３３、機器情報通知部３４、印刷設定内容受付部３５、印刷ジョブ命令受付部３６、及び、リクエスト受付部３７を備える。
【００６２】
印刷予定情報生成部３１は、ネットワーク５を利用して特定クライアント装置と通信をして、特定クライアント装置の数の情報を含む印刷予定情報を生成する。印刷予定情報生成部３１は、例えば、データテーブルを利用して印刷予定情報を生成する。
【００６３】
印刷予定情報通知部３２は、印刷予定情報生成部３１によって生成された印刷予定情報を、ネットワーク５を利用して、特定クライアント装置に通知することができる。
【００６４】
特定クライアント装置及び印刷予定情報について、まず、特定クライアント装置から説明する。図５は、画像形成システム３において、複数のクライアント装置１０のうち、特定クライアント装置となっているクライアント装置１０を示す模式図である。
【００６５】
特定クライアント装置とは、複数のクライアント装置１０のうち、印刷ジョブを設定するための印刷画面４０（図４）を表示しており、かつ、印刷ジョブを命令する前のクライアント装置１０である。すなわち、表示部１３に印刷画面４０を表示中のクライアント装置１０が、特定クライアント装置である。図５において、クライアント装置１０Ａ〜１０Ｆのうち、クライアント装置１０Ａ，１０Ｃ，１０Ｄ，１０Ｅが特定クライアント装置である。
【００６６】
図３を参照して、特定クライアント装置の印刷予定情報受付部１５は、画像形成装置１の印刷予定情報通知部３２から印刷予定情報が、ネットワーク５を利用して通知されてきた場合、印刷予定情報を受け付け、そして、記憶する。特定クライアント装置の表示制御部１４は、印刷予定情報受付部１５によって受け付けられた印刷予定情報を表示部１３に表示させる。
【００６７】
印刷予定情報について説明する。図６は、印刷予定情報を含む画面５０の一例を示す模式図である。画像形成装置１に印刷予定情報をリクエストした特定クライアント装置（すなわち、図４に示す印刷予定情報のボタン４７がクリックされた特定クライアント装置）を、クライアント装置１０Ａとする。クライアント装置１０Ａの表示部１３には、画面５０が表示される。
【００６８】
このように、第１実施形態では、特定クライアント装置のユーザーが、印刷予定情報を表示させる操作して、印刷予定情報を表示部１３に表示させている。これに限定されず、後の変形例で説明するように、印刷予定情報を印刷画面４０（図４）に自動的に含めてもよい。
【００６９】
画面５０に含まれる印刷予定情報は、特定クライアント装置の数の情報５１、及び、特定クライアント装置であるクライアント装置１０のユーザー名の情報５２を含む。
【００７０】
図５に示すように、画像形成装置１に印刷予定情報をリクエストした特定クライアント装置（クライアント装置１０Ａ）以外の他の特定クライアント装置は、クライアント装置１０Ｃ，１０Ｄ，１０Ｅである。他の特定クライアント装置の数「３」を、特定クライアント装置の数の情報５１として示している。なお、画像形成装置１に印刷予定情報をリクエストした特定クライアント装置を、特定クライアント装置の数に含める態様も可能である。この態様の場合、特定クライアント装置の数の情報５１は、「４」となる。
【００７１】
特定クライアント装置のユーザー名の情報５２として、クライアント装置１０Ｃのユーザー名であるユーザーＣ、クライアント装置１０Ｄのユーザー名であるユーザーＤ、クライアント装置１０Ｅのユーザー名であるユーザーＥが示されている。
【００７２】
画面５０には、ボタン５３が含まれる。ボタン５３がクリックされると、図３に示すクライアント装置１０Ａの入力受付部１２は、前の画面に戻る命令の入力を受け付ける。これにより、クライアント装置１０Ａの表示制御部１４は、図４に示す印刷画面４０を表示部１３に表示させる。
【００７３】
図６を参照して、画面５０は、特定クライアント装置のユーザー名のそれぞれに対応するボタン５４を含む。これらのボタン５４は、対応するユーザーの特定クライアント装置の印刷予定情報の詳細の表示を命令するボタンである。図３に示すクライアント装置１０Ａの印刷予定情報受付部１５には、画像形成装置１から通知されてきた、クライアント装置１０Ｃ，１０Ｄ，１０Ｅの印刷予定情報の詳細情報を含む印刷予定情報が格納されている。ユーザーＣに割り当てられたボタン５４を例に説明する。ボタン５４がクリックされると、クライアント装置１０Ａの入力受付部１２は、クライアント装置１０Ｃの印刷予定情報の詳細を表示する命令の入力を受け付ける。これにより、クライアント装置１０Ａの表示制御部１４は、印刷予定情報受付部１５に格納されているクライアント装置１０Ｃの印刷予定情報の詳細情報を読み出して、図７に示すように、この詳細情報を含む画面６０を表示部１３に表示させる。
【００７４】
詳細情報には、登録ユーザー名の情報６１、印刷画面表示時間の情報６２、カラー印刷の情報６３、印刷部数の情報６４、印刷枚数の情報６５、用紙サイズの情報６６、アプリケーションソフト名の情報６７が含まれる。
【００７５】
登録ユーザー名の情報６１は、特定クライアント装置に登録されているユーザー名である。ここでは、クライアント装置１０Ｃに登録されているユーザーＣが示されている。
【００７６】
印刷画面表示時間の情報６２は、特定クライアント装置の表示部１３において、印刷画面４０の表示を開始してから経過した時間である。ここでは、クライアント装置１０Ｃの表示部１３において、印刷画面４０の表示を開始してから経過した時間が示されている。
【００７７】
カラー印刷の情報６３は、特定クライアント装置の表示部１３に表示されている印刷画面４０で、カラー印刷が設定されているか否かの情報である。ここでは、クライアント装置１０Ｃの表示部１３に表示されている印刷画面４０で、カラー印刷が設定されていることを示している。
【００７８】
印刷部数の情報６４は、特定クライアント装置の表示部１３に表示されている印刷画面４０で設定されている印刷部数である。ここでは、クライアント装置１０Ｃの表示部１３に表示されている印刷画面４０で設定されている印刷部数を示している。
【００７９】
特定クライアント装置の表示部１３に表示されている印刷画面４０で設定されている、印刷部数×印刷範囲となるページ数の値である印刷枚数を、印刷枚数の情報６５とする。ここでは、クライアント装置１０Ｃの表示部１３に表示されている印刷画面４０で設定されている、印刷部数×印刷範囲となるページ数の値である印刷枚数を示している。
【００８０】
用紙サイズの情報６６は、特定クライアント装置の表示部１３に表示されている印刷画面４０で設定されている用紙サイズである。ここでは、クライアント装置１０Ｃの表示部１３に表示されている印刷画面４０で設定されている用紙サイズを示している。
【００８１】
アプリケーションソフト名の情報６７は、特定クライアント装置の表示部１３に表示されている印刷画面４０で設定されている印刷ジョブの対象となるデータを生成したアプリケーションソフトの名称である。ここでは、クライアント装置１０Ｃの表示部１３に表示されている印刷画面４０で設定されている印刷ジョブの対象となるデータを生成したアプリケーションソフトの名称を示している。
【００８２】
カラー印刷の情報６３、印刷部数の情報６４、及び、用紙サイズの情報６６について、デフォルト設定を変更したか否かの情報であるデフォルト設定変更情報６８が示される。画像形成装置１の印刷予定情報生成部３１は、特定クライアント装置とネットワーク５を利用して通信して、デフォルト設定変更情報６８を生成し、印刷予定情報に含める。
【００８３】
画面６０には、ボタン６９が含まれる。ボタン６９がクリックされると、クライアント装置１０Ａの入力受付部１２は、前の画面に戻る命令の入力を受け付ける。これにより、クライアント装置１０Ａの表示制御部１４は、図６に示す画面５０を表示部１３に表示させる。
【００８４】
第１実施形態に係る画像形成システム３の動作について、図３及び図８〜図１０を主に用いて、画像形成装置１とクライアント装置１０Ａとの関係を例に説明する。図８〜図１０は、第１実施形態に係る画像形成システム３の動作の一例を示すフローチャートである。以下、図３に示す入力装置１１、入力受付部１２、表示部１３、表示制御部１４、印刷予定情報受付部１５、ユーザー情報通知部１６、ユーザー情報登録部１７、機器情報受付部１８、印刷設定内容通知部１９、印刷ジョブ命令通知部２１、及び、リクエスト通知部２２は、クライアント装置１０Ａ〜１０Ｆのうち、クライアント装置１０Ａのそれらを意味する。
【００８５】
クライアント装置１０Ａにおいて、アプリケーションソフトが起動されている（ステップＳ１）。表示制御部１４は、そのアプリケーションソフトの画面を表示部１３に表示させる。
【００８６】
アプリケーションソフトの画面が表示部１３に表示された状態で、ユーザーＡが入力装置１１を操作して、印刷を選択する入力がされると、その入力が入力受付部１２に受け付けられる（ステップＳ２）。これにより、表示制御部１４は、表示部１３に印刷画面４０（図４）を表示させ、かつ、ユーザー情報通知部１６は、ユーザー情報登録部１７に登録されているクライアント装置１０Ａのユーザー情報を、ネットワーク５を利用して、画像形成装置１に通知する（ステップＳ３）。ユーザー情報とは、クライアント装置１０に登録されているユーザー名であり、ここでは、ユーザーＡがユーザー情報となる。
【００８７】
画像形成装置１において、ユーザー情報受付部３３がユーザー情報を受け付けると（ステップＳ４）、印刷予定情報生成部３１は、ユーザーＡが設定した印刷設定の内容を格納するためのユーザーファイルを作成し、かつ、ユーザーＡに割り当てたタイマーをスタートさせる（ステップＳ５）。このタイマーは、クライアント装置１０Ａの表示部１３に印刷画面４０の表示が開始してから経過した時間を計測する。なお、クライアント装置１０Ｃ，１０Ｄ，１０Ｅが既に特定クライアント装置であれば、クライアント装置１０Ｃ，１０Ｄ，１０Ｅのそれぞれについて、ユーザーファイルが作成され、タイマーがスタートされている。
【００８８】
また、画像形成装置１において、ユーザー情報受付部３３がユーザー情報を受け付けると（ステップＳ４）、機器情報通知部３４は、ネットワーク５を利用して、機器情報をクライアント装置１０Ａに通知する（ステップＳ５）。機器情報とは、画像形成装置１の状態を示す情報である。例えば、画像形成装置１のカバーが開いている場合、その情報が機器情報である。画像形成装置１の用紙トレイ１０７（図１）に用紙がセットされていない場合、その情報が機器情報である。画像形成装置１の用紙搬送路１１１（図１）にジャムが発生している場合、その情報が機器情報である。画像形成装置１がドキュメントボックス機能を有する場合、ドキュメントボックスに格納できるデータ量の情報が機器情報である。
【００８９】
クライアント装置１０Ａにおいて、機器情報受付部１８が、機器情報を受け付けると（ステップＳ６）、表示制御部１４は、機器情報を反映した印刷画面４０を表示部１３に表示させる（ステップＳ７）。例えば、画像形成装置１のカバーが開かれている場合、その情報を含む印刷画面４０を表示部１３に表示させる。
【００９０】
また、クライアント装置１０Ａにおいて、機器情報受付部１８が、機器情報を受け付けると（ステップＳ６）、印刷設定内容通知部１９は、ネットワーク５を利用して、印刷設定部２０に設定されている印刷設定の内容を画像形成装置１に通知する（ステップＳ７）。印刷設定の内容は、クライアント装置１０Ａにおいて、表示部１３に表示されている印刷画面４０（図４）に含まれる印刷設定項目に関するデフォルト設定の内容（例えば、印刷部数が１部、用紙サイズがＡ４、モノクロ印刷が選択）、及び、印刷の対象となるデータ(文書や画像等)のアプリケーションソフトの名称を含む。
【００９１】
画像形成装置１において、印刷設定内容受付部３５が、印刷設定の内容を受け付けると（ステップＳ８）、印刷予定情報生成部３１は、その印刷設定の内容を、ステップＳ５で作成したユーザーＡのユーザーファイルに格納する（ステップＳ９）。
【００９２】
クライアント装置１０Ａにおいて、デフォルト設定状態の印刷画面４０が表示部１３に表示されている状態で、印刷設定内容通知部１９は、印刷画面４０(図４)に印刷設定（例えば、印刷範囲）が入力されて、入力受付部１２に受け付けられたか否かを判断する（ステップＳ１０）。
【００９３】
印刷設定内容通知部１９が、入力受付部１２によって印刷設定の入力が受け付けられたと判断した場合（ステップＳ１０でＹｅｓ）、印刷設定内容通知部１９は、ネットワーク５を利用して、その印刷設定の内容を画像形成装置１に通知する（ステップＳ１１）。
【００９４】
画像形成装置１において、印刷設定内容受付部３５が、その通知を受け付けると（ステップＳ１２）、印刷予定情報生成部３１は、ユーザーＡのユーザーファイルに格納されている印刷設定の内容を更新する（ステップＳ１３）。
【００９５】
クライアント装置１０Ａにおいて、印刷設定内容通知部１９が、入力受付部１２によって印刷設定の入力が受け付けられていないと判断した場合（ステップＳ１０でＮｏ）、又は、ステップＳ１１の後、印刷ジョブ命令通知部２１は、印刷画面４０のボタン４６（図４）がクリックされることにより、印刷ジョブの命令の入力が入力受付部１２に受け付けられたか否かを判断する（ステップＳ１４）。
【００９６】
印刷ジョブ命令通知部２１が、入力受付部１２によって印刷ジョブの命令の入力が受け付けられていないと判断した場合（ステップＳ１４でＮｏ）、ステップＳ１０に戻る。
【００９７】
印刷ジョブ命令通知部２１が、入力受付部１２によって印刷ジョブの命令の入力が受け付けられたと判断した場合（ステップＳ１４でＹｅｓ）、印刷ジョブ命令通知部２１は、ネットワーク５を利用して、印刷ジョブの命令と共に印刷の対象となるデータを画像形成装置１に送る（ステップＳ１５）。クライアント装置１０Ａにおいて、表示制御部１４は、表示部１３から印刷画面４０の表示を消す制御をする（ステップＳ１６）。
【００９８】
画像形成装置１において、印刷ジョブ命令受付部３６が、印刷ジョブの命令及び印刷の対象となるデータを受け付けると（ステップＳ１７）、画像形成装置１において、以下の処理がされる（ステップＳ１８）。
【００９９】
画像形成装置１は、印刷ジョブを実行する。クライアント装置１０Ａが印刷ジョブを命令することにより、クライアント装置１０Ａの表示部１３から印刷画面４０が消えるので（ステップＳ１６）、クライアント装置１０Ａは、特定クライアント装置でなくなる。そこで、印刷予定情報生成部３１は、ステップＳ５で作成したユーザーＡのユーザーファイルを破棄する。印刷予定情報生成部３１は、ステップＳ５でスタートさせたユーザーＡに割り当てられたタイマーを停止させる。
【０１００】
図１０を参照して、クライアント装置１０Ａが特定クライアント装置の状態、すなわち、表示部１３に印刷画面４０が表示中に、印刷予定情報のボタン４７（図４）がクリックされると、印刷予定情報のリクエストの入力が入力受付部１２に受け付けられる（ステップＴ１）。これにより、クライアント装置１０Ａのリクエスト通知部２２は、ネットワーク５を利用して、印刷予定情報のリクエストを画像形成装置１に通知する（ステップＴ２）。
【０１０１】
画像形成装置１において、リクエスト受付部３７が、印刷予定情報のリクエストを受け付けると（ステップＴ３）、印刷予定情報生成部３１は、ユーザーファイル（ここでは、クライアント装置１０Ａ，１０Ｃ，１０Ｄ，１０Ｅのユーザーファイル）の数をカウントする。この値が、特定クライアント装置の数の情報５１となる。そして、印刷予定情報生成部３１は、他の特定クライアント装置、すなわち、クライアント装置１０Ｃ，１０Ｄ，１０Ｅのユーザーファイルから印刷設定の内容を読み出し、これと特定クライアント装置の数の情報５１とを含む印刷予定情報を生成する（ステップＴ４）。
【０１０２】
印刷予定情報生成部３１は、クライアント装置１０Ｃ，１０Ｄ，１０Ｅのそれぞれについて、図７に示す印刷画面４０表示時間の情報６２、カラー印刷の情報６３、印刷部数の情報６４、印刷枚数の情報６５、用紙サイズの情報６６、及び、アプリケーションソフト名の情報６７を全て含む印刷予定情報を生成する。なお、印刷予定情報生成部３１は、クライアント装置１０Ｃ，１０Ｄ，１０Ｅのそれぞれについて、それらの情報の少なくとも１つ（例えば、カラー印刷の情報６３及び印刷枚数の情報６５）を含む印刷予定情報を生成してもよい。
【０１０３】
このように、印刷予定情報生成部３１は、複数のクライアント装置１０のうち、印刷予定情報をリクエストした特定クライアント装置以外の他の特定クライアント装置において、印刷画面４０でカラー印刷が設定されているか否かの情報、印刷画面４０で設定されている印刷部数の情報、印刷画面４０で設定されている印刷部数×印刷範囲となるページ数の値である印刷枚数の情報、印刷画面４０で設定されている用紙サイズの情報、及び、印刷ジョブの対象となるデータを生成したアプリケーションソフトの名称の情報の少なくとも１つを含む印刷予定情報を生成する。
【０１０４】
画像形成装置１において、印刷予定情報通知部３２は、ネットワーク５を利用して、印刷予定情報をクライアント装置１０Ａに通知する（ステップＴ５）。
【０１０５】
クライアント装置１０Ａにおいて、印刷予定情報受付部１５が、印刷予定情報を受け付けると（ステップＴ６）、表示制御部１４は、印刷予定情報を含む画面５０（図６）を表示部１３に表示させる（ステップＴ７）。
【０１０６】
第１実施形態の主な効果を説明する。図５に示すように、ネットワーク５に接続されている複数のクライアント装置１０Ａ〜１０Ｆのうち、印刷ジョブを設定するための印刷画面４０（図４）を表示しており、かつ、印刷ジョブを命令する前のクライアント装置１０を、特定クライアント装置とする。印刷ジョブを命令する前とは、ボタン４６（図４）がクリックされる前である。このような、特定クライアント装置は、画像形成装置１に印刷ジョブを命令する予定のクライアント装置１０と見なすことができる。
【０１０７】
画像形成装置１は、ネットワーク５を利用して特定クライアント装置と通信して、特定クライアント装置の数の情報５１（図６）を含む印刷予定情報を生成する（図１０のステップＴ４）。特定クライアント装置は、画像形成装置１から印刷予定情報が送信されてきた場合、表示部１３に印刷予定情報を表示させる（図６）。従って、第１実施形態によれば、特定クライアント装置のユーザーに対して、画像形成装置１に印刷ジョブを命令する予定のクライアント装置１０の数を把握できる情報を示すことができる。
【０１０８】
また、第１実施形態では、印刷予定情報に、特定クライアント装置の数に加えて、他の特定クライアント装置の印刷画面４０に含まれる項目の設定内容(カラー印刷が設定されているか否か等)を含めている（図６、図７）。従って、印刷予定情報をリクエストした特定クライアント装置のユーザーは、他の特定クライアント装置の印刷画面４０において、どのような印刷設定がされているかを知ることができるので、これを参考にして印刷ジョブを命令する操作をするか否かを判断することができる。
【０１０９】
カラー印刷の情報６３を見ることにより、印刷画面４０でカラー印刷が設定されているか否かが分かる。印刷画面４０でカラー印刷が設定されていれば、印刷ジョブが終了するまでの時間が長いと予測できる。
【０１１０】
印刷部数の情報６４を見ることにより、印刷画面４０で設定されている印刷部数が分かる。印刷画面４０で設定されている印刷部数が多ければ、印刷ジョブが終了するまでの時間が長いと予測できる。
【０１１１】
印刷枚数の情報６５を見ることにより、印刷画面４０で設定されている印刷枚数が分かる。印刷画面４０で設定されている印刷枚数が多ければ、印刷ジョブが終了するまでの時間が長いと予測できる。印刷部数×印刷範囲となるページ数が、印刷枚数となる。
【０１１２】
用紙サイズの情報６６を見ることにより、印刷画面４０で設定されている用紙サイズが分かる。印刷画面４０で設定されている用紙サイズが大きければ、印刷ジョブが終了するまでの時間が長いと予測できる。
【０１１３】
アプリケーションソフト名の情報６７を見ることにより、印刷ジョブの対象となるデータを生成したアプリケーションソフト名が分かる。印刷ジョブの対象となるデータを生成したアプリケーションソフトが、例えば、画像のアプリケーションソフトであれば、文書のアプリケーションソフトよりも、印刷ジョブが終了するまでの時間が長いと予測できる。アプリケーションソフトの名称を示すことにより、画像のアプリケーションソフトか否かを判断することができる。
【０１１４】
さらに、第１実施形態では、印刷予定情報に、特定クライアント装置の数に加えて、他の特定クライアント装置において、印刷画面４０の表示を開始してから経過した時間の情報（印刷画面表示時間の情報６２）を含めている（図６、図７）。印刷画面４０の表示を開始してから経過した時間が長ければ、複雑な印刷設定がされている可能性がある。複雑な印刷設定の場合、印刷ジョブが終了するまでの時間が長いと予測できる。従って、特定クライアント装置のユーザーは、それを参考にして、印刷ジョブを命令する操作をするか否かを判断することができる。
【０１１５】
第２実施形態に係る画像形成システム７について、図３に示す第１実施形態に係る画像形成システム３との相違を中心に説明する。図１１は、第２実施形態に係る画像形成システム７を示す模式図である。第２実施形態において、ネットワーク５には、複数の画像形成装置１が接続されている。図１１において、ネットワーク５に接続された２台の画像形成装置１Ａ，１Ｂが示されている。これらの画像形成装置を区別する必要がない場合、画像形成装置１と記載する。画像形成装置１の数は、２台に限定されず、複数であればよい。
【０１１６】
各クライアント装置１０は、印刷予定情報結合部２３をさらに備える。リクエスト通知部２２は、印刷予定情報のリクエストを、ネットワーク５を利用して、画像形成装置１Ａ，１Ｂに通知する。
【０１１７】
印刷予定情報結合部２３は、画像形成装置１Ａ，１Ｂから通知されてきた印刷予定情報を結合する。表示制御部１４は、図１２に示すように、結合された印刷予定情報を含む画面７０を表示部１３に表示させる。画面７０の構成要素において、図６に示す画面５０の構成要素と同一要素については、同一符号を付する。
【０１１８】
画面７０は、画像形成装置１Ａ（画像形成装置の名前：○○）の印刷予定情報と、画像形成装置１Ｂ（画像形成装置の名前：△△）の印刷予定情報とを含む。さらに、画面７０には、画像形成装置１Ａの名前を示すボタン５５、及び、画像形成装置１Ｂの名前を示すボタン５６が含まれる。
【０１１９】
ボタン５５がクリックされると、画像形成装置１Ａを選択する入力が入力受付部１２で受け付けられ、印刷ジョブの命令をする画像形成装置１として、画像形成装置１Ａが印刷設定部２０（図１１）に設定される。
【０１２０】
ボタン５６がクリックされると、画像形成装置１Ｂを選択する入力が入力受付部１２で受け付けられ、印刷ジョブの命令をする画像形成装置１として、画像形成装置１Ｂが印刷設定部２０に設定される。
【０１２１】
第２実施形態は、第１実施形態の効果に加え、さらに、次の効果を有する。第２実施形態によれば、図１２に示すように、印刷予定情報のリクエストをした特定クライアント装置のユーザーは、複数の画像形成装置１Ａ，１Ｂのそれぞれの印刷予定情報を参考にして、印刷ジョブを命令する画像形成装置１を選択することができる。
【０１２２】
また、第２実施形態によれば、図１２に示すように、結合された印刷予定情報を含む画面７０に、画像形成装置１を選択できるボタン５５，５６を含めている。従って、結合された印刷予定情報を含む画面７０において、印刷ジョブを命令する画像形成装置１を選択することができる。
【０１２３】
第１実施形態及び第２実施形態の変形例について、第１実施形態の図面を用いて説明する。変形例において、表示制御部１４（図３）は、印刷予定情報として、特定クライアント装置の数の情報５１（図６）を含む印刷画面４０（図４）を表示部１３（図３）に表示させる制御をする。変形例では、特定クライアント装置から画像形成装置１に印刷予定情報のリクエストをすることが不要であり、特定クライアント装置と画像形成装置１とがネットワーク５を利用して通信をし、特定クライアント装置は、画像形成装置１から印刷予定情報を取得する。そして、表示制御部１４（図３）は、印刷画面４０（図４）に、特定クライアント装置の数の情報５１（図６）を自動的に含める制御をする。
【符号の説明】
【０１２４】
１，１Ａ，１Ｂ  画像形成装置
３  画像形成システム
５  ネットワーク
７  画像形成システム
１０，１０Ａ〜１０Ｆ  クライアント装置
１２  入力受付部
１３  表示部
１４  表示制御部
１５  印刷予定情報受付部
２３  印刷予定情報結合部
３１  印刷予定情報生成部
３２  印刷予定情報通知部
４０  印刷画面
【図１】
2015194841.tif 000003
【図２】
2015194841.tif 000004
【図３】
2015194841.tif 000005
【図４】
2015194841.tif 000006
【図５】
2015194841.tif 000007
【図６】
2015194841.tif 000008
【図７】
2015194841.tif 000009
【図８】
2015194841.tif 000010
【図９】
2015194841.tif 000011
【図１０】
2015194841.tif 000012
【図１１】
2015194841.tif 000013
【図１２】
2015194841.tif 000014